(57)【特許請求の範囲】
【請求項１】
カード接点部を有するカードを保持し、前記カード接点部に接離する導電性のコンタクトと、該コンタクトを保持したインシュレータと、前記カードを挿入方向及び該挿入方向とは逆の抜去方向で挿抜可能に前記インシュレータに保持するカードホルダとを含むカードコネクタにおいて、
前記カードを前記カードホルダに保持した状態で前記コンタクトと前記カード接点部とを接離するよう前記インシュレータ及び前記カードホルダを回動可能に連結した回動手段と、前記カードホルダの回動を規制して前記カードホルダを所定の回転角度に位置決めする位置決め手段と、該位置決め手段に係合する係合手段とを有し、
前記回動手段は、軸部と、該軸部を回動可能に支持する軸支持部とを有し、
前記位置決め手段は、前記カードの前記カード接点部を前記コンタクトに接続させることができる前記カードホルダの第２の位置で前記カードホルダを位置決めする第１の位置決め部と、前記カードを前記カードホルダに挿入・離脱させることができる前記カードホルダの第１の位置で前記カードホルダを位置決めする第２の位置決め部とを有し、
前記係合手段は、前記第１の位置決め部及び前記第２の位置決め部に対向するバネ部と、前記第１の位置決め部及び前記第２の位置決め部に係合するよう前記バネ部に形成した突起部とを有し、
前記インシュレータは、前記カードホルダを回動可能に保持する一対のフレーム部を有し、
前記カードホルダは、前記一対のフレーム部に対向しかつ回動可能に移動するよう前記一対のフレーム部のそれぞれに対して平行に対向する一対のホルダフレーム部を有し、
前記一対のフレーム部には、前記軸部及び前記軸支持部のいずれか一方と、前記位置決め手段及び前記係合手段のいずれか一方が設けられており、
前記一対のホルダフレーム部には、前記一対のフレーム部に設けた前記軸部及び前記軸支持部のいずれか一方に軸支する前記軸部及び前記軸支持部のいずれか他方と、前記一対のフレーム部に設けた前記位置決め手段及び前記係合手段のいずれか一方に対向する前記位置決め手段及び前記係合手段のいずれか他方が設けられており、
前記第１の位置決め部は、前記コンタクトに接続する前記第２の位置で前記カードホルダを維持するよう前記挿入方向と直交する方向へ延びている溝であり、
前記第２の位置決め部は、前記カードを前記カードホルダに挿入・離脱させることができる前記第１の位置で前記カードホルダを維持するよう前記挿入方向と直交する方向へ延びている溝であり、
前記バネ部の前記突起部は、前記第１の位置決め部及び前記第２の位置決め部に入り込みかつ前記第１の位置決め部及び前記第２の位置決め部間を移動可能であり、
前記第１の位置決め部及び前記第２の位置決め部が前記挿入方向と直交する方向で上下の関係で位置していることを特徴とするカードコネクタ。
【請求項２】
請求項１記載のカードコネクタにおいて、前記インシュレータは、前記カードを挿入する側の前記一対のフレーム部の一端間がカード挿入口となっており、前記一端間を橋渡すように前記一対のフレーム部を接続しているブリッジ部を有し、
該ブリッジ部と前記一対のフレーム部との接続部分には、前記第２の位置に前記カードホルダが位置しているときに前記カードホルダから前記カードが離脱するのを阻止するよう前記カード挿入口側へ突出しているロック部が形成されていることを特徴とするカードコネクタ。
【発明の詳細な説明】
【０００１】
【発明の属する技術分野】
本発明は、カードを挿入・離脱可能に保持するカードコネクタに属する。
【０００２】
【従来の技術】
従来のカードコネクタは、図５に示すように、カード１１０の一面上に形成されている複数のカード接点部１１１と接触する複数のコンタクト１２０と、コンタクト１２０を保持している樹脂製のインシュレータ１３０とを有している。
【０００３】
インシュレータ１３０の互いに対向している側部には、カード１１０の挿入をガイドする一対のカードガイド１３１ａ，１３１ｂが一体に形成されている。インシュレータ１３０には、これらカードガイド１３１ａ，１３１ｂによって、カード１１０を受容するためのカード受容空間１３２が形成されている。
【０００４】
カード１１０をカード受容空間１３２内に挿入するときには、カード１１０をカードガイド１３１ａ，１３１ｂに挿入すると嵌合を開始し、インシュレータ１３０の奥部でインシュレータ１３０に設けられているコンタクト１２０にカード接点部１１１が接触する。
【０００５】
【発明が解決しようとする課題】
しかしながら、従来のカードコネクタにおいては、カード１１０を挿入すると、コンタクト１２０は常に接触しているため、カード１１０の挿入力にはコンタクト１２０接触力が加算され、挿入力が高くなってしまうという問題がある。
【０００６】
また、嵌合状態のカード１１０をインシュレータ１３０に固定しておく手段がなかったため、カード１１０の入り口を下にすると、カード１１０が落下してしまい、カード１１０がインシュレータ１３０から外へ飛び出してしまうので、誤動作の原因となる。
【０００７】
それ故に本発明の課題は、カードの挿入力を低減でき、カードを使用しているときにカードの飛び出しを防止できるカードコネクタを提供することにある。
【０００８】
【課題を解決するための手段】
本発明によれば、カード接点部を有するカードを保持し、前記カード接点部に接離する導電性のコンタクトと、該コンタクトを保持したインシュレータと、前記カードを挿入方向及び該挿入方向とは逆の抜去方向で挿抜可能に前記インシュレータに保持するカードホルダとを含むカードコネクタにおいて、
前記カードを前記カードホルダに保持した状態で前記コンタクトと前記カード接点部とを接離するよう前記インシュレータ及び前記カードホルダを回動可能に連結した回動手段と、前記カードホルダの回動を規制して前記カードホルダを所定の回転角度に位置決めする位置決め手段と、該位置決め手段に係合する係合手段とを有し、
前記回動手段は、軸部と、該軸部を回動可能に支持する軸支持部とを有し、
前記位置決め手段は、前記カードの前記カード接点部を前記コンタクトに接続させることができる前記カードホルダの第２の位置で前記カードホルダを位置決めする第１の位置決め部と、前記カードを前記カードホルダに挿入・離脱させることができる前記カードホルダの第１の位置で前記カードホルダを位置決めする第２の位置決め部とを有し、
前記係合手段は、前記第１の位置決め部及び前記第２の位置決め部に対向するバネ部と、前記第１の位置決め部及び前記第２の位置決め部に係合するよう前記バネ部に形成した突起部とを有し、
前記インシュレータは、前記カードホルダを回動可能に保持する一対のフレーム部を有し、
前記カードホルダは、前記一対のフレーム部に対向しかつ回動可能に移動するよう前記一対のフレーム部のそれぞれに対して平行に対向する一対のホルダフレーム部を有し、
前記一対のフレーム部には、前記軸部及び前記軸支持部のいずれか一方と、前記位置決め手段及び前記係合手段のいずれか一方が設けられており、
前記一対のホルダフレーム部には、前記一対のフレーム部に設けた前記軸部及び前記軸支持部のいずれか一方に軸支する前記軸部及び前記軸支持部のいずれか他方と、前記一対のフレーム部に設けた前記位置決め手段及び前記係合手段のいずれか一方に対向する前記位置決め手段及び前記係合手段のいずれか他方が設けられており、
前記第１の位置決め部は、前記コンタクトに接続する前記第２の位置で前記カードホルダを維持するよう前記挿入方向と直交する方向へ延びている溝であり、
前記第２の位置決め部は、前記カードを前記カードホルダに挿入・離脱させることができる前記第１の位置で前記カードホルダを維持するよう前記挿入方向と直交する方向へ延びている溝であり、
前記バネ部の前記突起部は、前記第１の位置決め部及び前記第２の位置決め部に入り込みかつ前記第１の位置決め部及び前記第２の位置決め部間を移動可能であり、
前記第１の位置決め部及び前記第２の位置決め部が前記挿入方向と直交する方向で上下の関係で位置していることを特徴とするカードコネクタが得られる。
【０００９】
【作用】
本発明のカードコネクタによれば、インシュレータに回動可能なカードホルダを備えることによって、カードを挿入する時にはカードのカード接点部とコンタクトとが接触することがなく、カードが小さな挿入力で挿入される。
【００１０】
また、カードを接続する時には、カードを回転させることによって、カードの先端がインシュレータに設けたロック部によりロックされるので、カードを使用しているときにカードの飛び出すことがない。
【００１１】
【発明の実施の形態】
以下、図面を参照して本発明のカードコネクタを説明する。図１及び図２はカードコネクタの一実施の形態例を示している。
【００１２】
図１及び図２を参照して、カードコネクタは、カード１０の一面上に形成されている複数のカード接点部１１に接触する複数の導電性コンタクト２０と、コンタクト２０を組み付け保持しているインシュレータ３０と、インシュレータ３０の内側でインシュレータ３０に回動可能に保持されているカードホルダ４０とを有している。
【００１３】
コンタクト２０は、インシュレータ３０に保持される保持部２１と、カード１０のカード接点部１１と接触するように保持部２１の一端から延びている接点部２２と、図示しない基板の導電部に半田付けされるように保持部２１の他端からインシュレータ３０の外へ延びている端子部２３を有している。
【００１４】
インシュレータ３０は、板形状の基部３１と、基部３１の両端に接続されている一対のフレーム部３３ａ，３３ｂとを有している。
【００１５】
一対のフレーム部３３ａ，３３ｂは、カード１０を挿入する挿入方向（図１に示す矢印Ａ方向）に長い寸法の長板形状の板であって、一対のフレーム部３３ａ，３３ｂが互いに平行に位置している。
【００１６】
一対のフレーム部３３ａ，３３ｂの長手方向の一端間は、カード１０を挿入するために十分な大きさのカード挿入口３５となっており、一端間を橋渡すように一対のフレーム部３３ａ，３３ｂを接続しているブリッジ部３６を有している。
【００１７】
カード挿入口３５は、ブリッジ部３６の下方に形成されており、ブリッジ部３６側の一対のフレーム部３３ａ，３３ｂ間は、空間部３４となっている。基部３１は、挿入方向Ａで空間部３４の奥部に位置しており、挿入方向Ａでブリッジ部３６とは位置ずれして位置している。ブリッジ部３６は一対のフレーム部３３ａ，３３ｂの上部で接続されており、基部３１が一対のフレーム部３３ａ，３３ｂの下部で接続されている。
【００１８】
基部３１の上面、一対のフレーム部３３ａ，３３ｂ、及びブリッジ部３６によって囲まれて形成されているインシュレータ３０の大きな空間には、カードホルダ４０が回動可能に収容されている。
【００１９】
基部３１の挿入方向Ａにおける奥部の上面には、基部３１に保持するための保持溝部３２ａと、保持溝部３２ａの前方に形成されている接点穴３２ｂとが形成されている。保持溝部３２ａは、コンタクト２０の接点部２２を前方として保持部２１を挿入方向Ａとは逆の抜去方向Ｂへ挿入して圧入し、基部３１に保持する。接点穴３２ｂは、保持溝部３２ａに保持部２１が保持されたときに、バネ力をもって接点部２２を変位可能になす役目を果たす。
【００２０】
さらに、図３をも参照して、カードホルダ４０及びインシュレータ３０は、カード１０をカードホルダ４０に保持した状態でコンタクト２０の接点部２２とカード１０のカード接点部１１とを接離するように、カードホルダ４０を回動可能に連結した回動手段を有している。
【００２１】
回動手段は、インシュレータ３０に設けた軸部３７ａ，３７ｂと、軸部３７ａ，３７ｂを回動可能に支持するようカードホルダ４０に設けた軸支持部４５ａ，４５ｂとから構成されている。
【００２２】
軸部３７ａ，３７ｂは、一対のフレーム部３３ａ，３３ｂの互いに対向している内面のそれぞれに設けられており、カードホルダ４０を回動可能に軸支している。これらの軸部３７ａ，３７ｂは、基部３１の抜去方向Ｂの端面よりも少し前方に位置し、一対のフレーム部３３ａ，３３ｂの互いに対向している内面のそれぞれから内方へ突出している。
【００２３】
さらに、一対のフレーム部３３ａ，３３ｂの互いに対向している内面のそれぞれには、カードホルダ４０の所定方向への回動を規制して位置決めするための位置決め手段が設けられている。位置決め手段は、インシュレータ３０とカードホルダ４０とに設けられており、カード１０をカードホルダ４０に挿入・離脱させることができる第１の位置、及びカード１０を接続させることができる第２の位置のそれぞれにカードホルダ４０を維持する。
【００２４】
インシュレータ３０に設けられている位置決め手段は、ブリッジ部３６及び軸部３７ａ，３７ｂ間の一対のフレーム部３３ａ，３３ｂの互いに対向している内面に溝形状に形成されている第１の位置決め部３８ａと、第２の位置決め部３８ｂとを有している。
【００２５】
第１の位置決め部３８ａは、一対のフレーム部３３ａ，３３ｂの上端面から挿入方向Ａと直交する一対のフレーム部３３ａ，３３ｂの幅方向へ延びている。第２の位置決め部３８ｂは、一対のフレーム部３３ａ，３３ｂの下端面から一対のフレーム部３３ａ，３３ｂの幅方向へ延びている。
【００２６】
したがって、第１及び第２の位置決め部３８ａ，３８ｂは、一対のフレーム部３３ａ，３３ｂの幅方向で直線上の二ヶ所に形成されており、第１及び第２の位置決め部３８ａ，３８ｂの幅方向における延在端が互いに対向している。
【００２７】
ブリッジ部３６と一対のフレーム部３３ａ，３３ｂとの接続部分の二ヶ所には、カード挿入口３５側へ突出しているロック部３６ａ，３６ｂが形成されている。ロック部３６ａ，３６ｂは、カード１０がカードホルダ４０の所定位置に挿入された後、カードホルダ４０から離脱するのを防止する役目を果たす。
【００２８】
カードホルダ４０は、一対のフレーム部３３ａ，３３ｂのそれぞれに一対一に対向するように設けられる一対のホルダフレーム部４０ａ，４０ｂと、一対のホルダフレーム部４０ａ，４０ｂ間を接続している平板形状のカード設置部４２と、カード設置部４２に対向する向きに一対のホルダフレーム部４０ａ，４０ｂの上辺からそれぞれほぼ直角に折り曲げられている一対のガイド片４２ａ，４２ｂとを有している。
【００２９】
一対のフレーム部３３ａ，３３ｂ、カード設置部４２及び一対のガイド片４２ａ，４２ｂは、これらで囲まれた部分によって溝形状の一対のガイド部４１ａ，４１ｂを構成している。溝形状の一対のガイド部４１ａ，４１ｂには、カード１０の両側部が挿入されて、カードホルダ４０の所定位置までカード１０が位置するようにガイドする役目を果たす。
【００３０】
一対のホルダフレーム部４０ａ，４０ｂは、一対のフレーム部３３ａ，３３ｂに対して平行な方向で回動し、カード挿入口３５側の一対のホルダフレーム部４０ａ，４０ｂ、カード設置部４２及び一対のガイド片４２ａ，４２ｂの離脱方向Ｂにおける端部分がブリッジ部３６の下側へ潜り込んでいる。
【００３１】
カード設置部４２の奥部、即ち、挿入方向Ａの奥部は、カード設置部４２が大きく切り欠けられて形成されたカード受容空間４４を有している。このカード受容空間４４は、カードホルダ４０がインシュレータ３０の所定位置に組み付けられたときに、基部３１上のコンタクト２０を露出させるように開放されている。
【００３２】
カード受容空間４４側における一対のガイド片４２ａ，４２ｂの先端には、カード設置部４２の延長面方向へ曲げられている一対のストッパー４３ａ，４３ｂが形成されている。一対のストッパー４３ａ，４３ｂは、カード１０がガイド部４１ａ，４１ｂへ挿入されてカードホルダ４０の所定位置にまで挿入されたときに、それ以上の過挿入を防止する役目を果たす。
【００３３】
また、ストッパー４３ａ，４３ｂの下方は、カード受容空間４４の一部となっており、コンタクト２０との接触時にカードホルダ４０が干渉しないように、逃げ部として底面が削られている形状になっている。
【００３４】
さらに、一対のホルダフレーム部４０ａ，４０ｂには、一対のフレーム部３３ａ，３３ｂに設けた軸部３７ａ，３７ｂを受け入れて一対の軸部３７ａ，３７ｂを回転可能に支持する軸支持部としての一対の軸穴４５ａ，４５ｂと、一対のフレーム部３３ａ，３３ｂに形成されている位置決め手段としての第１及び第２の位置決め部３８ａ，３８ｂに対向するように一対の板バネ（バネ部）４６ａ，４６ｂとが形成されている。
【００３５】
回動手段は、インシュレータ３０に設けた軸部３７ａ、３７ｂと、軸部３７ａ、３７ｂを回動可能に支持するようホルダフレーム４０ａ，４０ｂに設けた軸穴（軸支持部）４５ａ，４５ｂとによって構成されている。
【００３６】
一対の板バネ４６ａ，４６ｂは、一対のホルダフレーム部４０ａ，４０ｂの板部分を切り起こして形成されており、離脱方向Ｂ側が一対のホルダフレーム部４０ａ，４０ｂに接続されて一対のホルダフレーム部４０ａ，４０ｂの外面よりも上方へかつ挿入方向Ａへ延びている。一対の板バネ４６ａ，４６ｂの先端面のそれぞれには、第１及び第２の位置決め部３８ａ，３８ｂへ入り込むように突出している突起部４７ａ，４７ｂが形成されている。板バネ４６ａ，４６ｂ及び突起部４７ａ，４７ｂは、これらで係合手段を構成している。
【００３７】
カードホルダ４０は、インシュレータ３０の空間部３４に組み込まれ、軸穴４５ａ，４５ｂ内に軸部３７ａ，３７ｂが入り込むことによって、これらが回動可能に一体化されている。
【００３８】
また、突起部４７ａ，４７ｂは、第１及び第２の位置決め部３８ａ，３８ｂに入ることでカードホルダ４０の回転角度が所定角度に位置決めされる。突起部４７ａ，４７ｂが第２の位置決め部３８ｂ内に入り込んでいるときが、図１に示す状態である。このときのカードホルダ４０の奥部は、コンタクト２０の接点部２２から離れているので、カード１０を挿入してもカード接点部１１とコンタクト２０とは接触しない。そのため、カード１０の挿入力にコンタクト２０の接触力は影響しないため、小さな力でカード１０をカード挿入口３５からガイド部４１ａ，４１ｂへ挿入することができる。
【００３９】
カード１０をカードホルダ４０によって所定位置まで挿入した後は、カード１０の先端を図４に示す矢印５１方向へ持ち上げると、カードホルダ４０も軸部３７ａ，３７ｂを支点として一緒に回転させられるため、突起部４７ａ，４７ｂが第１の位置決め部３８ａに入り込み、戻る方向への回転が規制されるのでカードホルダ４０が固定される。
【００４０】
この回転によりカードホルダ４０の奥部は、矢印５２方向へ動くため、カード１０のカード接点部１１とコンタクト２０とは互いに接触する。この際、カード１０の離脱方向Ｂの端部がインシュレータ３０のロック部３６ａ，３６ｂに引っかかるため、カード１０はロックされる。したがって、カードコネクタを離脱方向Ｂへ傾けてもカード１０がインシュレータ３０の外へ落ちることはない。
【００４１】
カード１０を使用した後、カード１０をカードホルダ４０から取出すためには、カード１０を矢印５１とは逆の方向に動かすと、突起部４７ａ，４７ｂが第２の位置決め部３８ｂに入り、ここで固定されるためカード１０とコンタクト２０との接触は解除される。このときカード１０の先端部分は、ロック部３６ａ，３６ｂによるロック状態が解除される。
【００４２】
なお、回動手段は、カードホルダ４０及びインシュレータ３０における軸部３７ａ，３７ｂと、軸穴４５ａ，４５ｂとの関係を逆に構成することも可能である。また、位置決め手段及び係合手段は、カードホルダ４０及びインシュレータ３０に逆な関係で設けることも可能である。
【００４３】
【発明の効果】
本発明のカードコネクタによれば、インシュレータに回動可能なカードホルダを備えることによって、カードを挿入する時にはカードのカード接点部とコンタクトとが接触していないため、カードの挿入力が小さな力で済む。
【００４４】
また、カードを接続する時には、カードを回転させることによって、カードの先端がインシュレータに設けたロック部によりロックされるので、カードを使用しているときにカードの飛び出しを防止できるので誤動作することがない。
【図面の簡単な説明】
【図１】  本発明のカードコネクタに係る一実施の形態例を示し、カードを挿入・離脱できる状態を示した斜視図である。
【図２】  図１に示したカードコネクタの分解斜視図である。
【図３】  図２に示したカードコネクタを裏面から見た状態の斜視図である。
【図４】  図１に示したカードコネクタのロック状態を示した斜視図である。
【図５】  従来のカードコネクタを示す斜視図である。
【符号の説明】
１０    カード
１１    カード接点部
２０    コンタクト
３０    インシュレータ
３３ａ，３３ｂ    フレーム部
３５    カード挿入口
３６    ブリッジ部
３６ａ，３６ｂ    ロック部
３７ａ，３７ｂ    軸部
３８ａ    第１の位置決め部
３８ｂ    第２の位置決め部
４０    カードホルダ
４０ａ，４０ｂ ホルダフレーム部
４５ａ，４５ｂ    軸支持部（軸穴）
４６ａ，４６ｂ 板バネ（バネ部）
４７ａ，４７ｂ 突起部
【図１】
0004139555.tif 000002
【図２】
0004139555.tif 000003
【図３】
0004139555.tif 000004
【図４】
0004139555.tif 000005
【図５】
0004139555.tif 000006